(57)【要約】【課題】要求したタイミングで、道路交通情報を最初から提供すること。【解決手段】道路交通情報を受信する受信装置に、道路交通情報の先頭部分の音声を記憶する音声記憶手段と、受信した道路交通情報を含むコンテンツと、先頭部分の音声とを比較し、該コンテンツに先頭部分の音声が含まれるかを判断する第１の音声比較手段と、第１の音声比較手段により、該コンテンツに先頭部分の音声が含まれると判断された場合に、該先頭部分の音声により開始される道路交通情報を記憶する第１の道路交通情報記憶手段とを有する。第１の道路交通情報記憶手段は、再生装置による再生要求に応じて、道路交通情報の先頭部分から出力する。【選択図】図１
2009253351.tif 000002
【特許請求の範囲】
【請求項１】
道路交通情報を受信する受信装置において、
道路交通情報の先頭部分の音声を記憶する音声記憶手段と、
受信した道路交通情報を含むコンテンツと、前記先頭部分の音声とを比較し、該コンテンツに前記先頭部分の音声が含まれるかを判断する第１の音声比較手段と、
前記第１の音声比較手段により、該コンテンツに前記先頭部分の音声が含まれると判断された場合に、該先頭部分の音声により開始される道路交通情報を記憶する第１の道路交通情報記憶手段と
を有し、
前記第１の道路交通情報記憶手段は、再生装置による再生要求に応じて、道路交通情報の先頭部分から出力することを特徴とする受信装置。
【請求項２】
請求項１に記載の受信装置において、
前記第１の道路交通情報記憶手段は、前記第１の音声比較手段により、該コンテンツに前記先頭部分の音声が含まれると判断された場合に、既に、道路交通情報が記憶されている場合に、該道路交通情報を更新することを特徴とする受信装置。
【請求項３】
請求項１に記載の受信装置において、
前記第１の道路交通情報記憶手段は、前記第１の音声比較手段により、該コンテンツに前記先頭部分の音声が含まれると判断され、道路交通情報の記憶中である場合に、再生装置による再生要求に応じて、該記憶中である道路交通情報の先頭部分から出力することを特徴とする受信装置。
【請求項４】
請求項１ないし３のいずれか１項に記載の受信装置において、
道路交通情報に含まれる行き先部分の音声を記憶する行き先音声記憶手段と、
前記道路交通情報記憶手段に記憶された道路交通情報と、前記行き先音声記憶手段に記憶された行き先部分の音声のうち、該受信装置が搭載された車両の行き先に対応する行き先部分の音声とを比較し、該道路交通情報に該行き先部分の音声が含まれるかを判断する第２の音声比較手段と、
前記第２の音声比較手段により、該道路交通情報に前記行き先部分の音声が含まれると判断された場合に、行き先毎に、該行き先部分の音声により開始される道路交通情報を記憶する第２の道路交通情報記憶手段と
を有し、
前記第２の道路交通情報記憶手段は、再生装置による再生要求に応じて、行き先に応じて、該行き先に対応する道路交通情報の先頭部分から出力することを特徴とする受信装置。
【請求項５】
道路交通情報を受信する受信装置における受信方法であって、
受信した道路交通情報を含むコンテンツと、道路交通情報の先頭部分の音声とを比較し、該コンテンツに前記先頭部分の音声が含まれるかを判断する第１の音声比較ステップと、
前記第１の音声比較ステップにより、該コンテンツに前記先頭部分の音声が含まれると判断された場合に、該先頭部分の音声により開始される道路交通情報を記憶する第１の道路交通情報記憶ステップと
再生装置による再生要求に応じて、道路交通情報の先頭部分から出力する出力ステップと
を有することを特徴とする受信方法。
【請求項６】
請求項５に記載の受信方法において、
前記道路交通情報記憶ステップにおいて記憶された道路交通情報と、道路交通情報に含まれる行き先部分の音声のうち、該受信装置が搭載された車両の行き先に対応する行き先部分の音声とを比較し、該道路交通情報に該行き先部分の音声が含まれるかを判断する第２の音声比較ステップと、
前記第２の音声比較ステップにより、該道路交通情報に前記行き先部分の音声が含まれると判断された場合に、行き先毎に、該行き先部分の音声により開始される道路交通情報を記憶する第２の道路交通情報記憶ステップと
を有し、
前記出力ステップでは、再生装置による再生要求に応じて、行き先に応じて、該行き先に対応する道路交通情報の先頭部分から出力する
ことを特徴とする受信方法。
【発明の詳細な説明】
【技術分野】
【０００１】
本発明は、受信装置に関し、特に、車両に搭載され、道路交通情報を受信する受信装置及び受信方法に関する。
【背景技術】
【０００２】
道路交通情報を受信することができる受信装置が知られている。この受信装置は、道路交通情報が送信される電波の周波数を受信する。
【０００３】
また、例えば、音響情報や画像情報が出力されている状態から交通情報を出力する状態に切り換わる際、音楽やTV番組を途中で中断することなく、交通情報を再生することが可能な受信装置が開示されている（例えば、特許文献１参照）。この受信装置によれば、音響・画像情報の区切りが検出された場合に、音響・画像情報の出力状態から特定情報の出力状態への切換えが行われる。例えば、FM多重などで放送される情報に対して、該重畳される情報について、主音声の区切りを検出する。そして、主音声の途中で切り換わることを防止する。
【特許文献１】特開平８−３２４７８号公報
【発明の開示】
【発明が解決しようとする課題】
【０００４】
しかしながら、上述した背景技術には以下の問題がある。
【０００５】
高速道路などでは、路側の特定地点で、道路交通情報が放送されている。しかし、該特定地点以外の地点では、ドライバが道路交通情報を知りたい場合でも、該道路交通情報を受信することができない。
【０００６】
また、例えば、高速道路などで提供される道路交通情報は、LCX(Leaky  Coaxial  cable)などによる狭域放送であるため、放送地点の近傍でしか受信できない。しかし、提供される道路交通情報は、その放送地点を通過した場合でも、十分に役に立つものである。
【０００７】
また、道路交通情報はサイマル放送であるため、ドライバが道路交通情報を受信しようと、受信装置の操作を行った場合に、該放送が途中であった場合には、次の放送まで、待たなければならない。ドライバの受信操作のタイミングと、放送開始のタイミングとは一致しない場合が多いためである。
【０００８】
また、上述した受信装置では、主音声で放送される情報の区切りを検出し、多重される情報の読み上げタイミングの制御が行われる。ここで、多重される情報には、文字データなどが含まれる。このため、反復的に放送される道路交通情報をドライバの意図したタイミングで再生できない。
【０００９】
また、上述した受信装置では、繰り返し送信されるエンコードされたデータ情報を前提としている。エンコードされたデータ情報では、データの中で、区切りが明確になっている。このため、音声で道路交通情報が送信される場合には適用できない。
【００１０】
本発明は、上述の点に鑑みてなされたものであり、要求したタイミングで、道路交通情報を最初から聞くことができる受信装置及び受信方法を提供することを目的とする。
【課題を解決するための手段】
【００１１】
上記課題を解決するため、本発明の受信装置は、
道路交通情報を受信する受信装置において、
道路交通情報の先頭部分の音声を記憶する音声記憶手段と、
受信した道路交通情報を含むコンテンツと、前記先頭部分の音声とを比較し、該コンテンツに前記先頭部分の音声が含まれるかを判断する第１の音声比較手段と、
前記第１の音声比較手段により、該コンテンツに前記先頭部分の音声が含まれると判断された場合に、該先頭部分の音声により開始される道路交通情報を記憶する第１の道路交通情報記憶手段と
を有し、
前記第１の道路交通情報記憶手段は、再生装置による再生要求に応じて、道路交通情報の先頭部分から出力する。
【００１２】
この例によれば、要求したタイミングで、道路交通情報を最初から聞くことができる。
【００１３】
また、他の例では、
前記第１の道路交通情報記憶手段は、前記第１の音声比較手段により、該コンテンツに前記先頭部分の音声が含まれると判断された場合に、既に、道路交通情報が記憶されている場合に、該道路交通情報を更新する。
【００１４】
この例によれば、要求したタイミングで、最新の道路交通情報を最初から聞くことができる。
【００１５】
また、他の例では、
前記第１の道路交通情報記憶手段は、前記第１の音声比較手段により、該コンテンツに前記先頭部分の音声が含まれると判断され、道路交通情報の記憶中である場合に、再生装置による再生要求に応じて、該記憶中である道路交通情報の先頭部分から出力する。
【００１６】
この例によれば、要求したタイミングで、最新の道路交通情報を最初から聞くことができる。
【００１７】
また、他の例では、
道路交通情報に含まれる行き先部分の音声を記憶する行き先音声記憶手段と、
前記道路交通情報記憶手段に記憶された道路交通情報と、前記行き先音声記憶手段に記憶された行き先部分の音声のうち、該受信装置が搭載された車両の行き先に対応する行き先部分の音声とを比較し、該道路交通情報に該行き先部分の音声が含まれるかを判断する第２の音声比較手段と、
前記第２の音声比較手段により、該道路交通情報に前記行き先部分の音声が含まれると判断された場合に、行き先毎に、該行き先部分の音声により開始される道路交通情報を記憶する第２の道路交通情報記憶手段と
を有し、
前記第２の道路交通情報記憶手段は、再生装置による再生要求に応じて、行き先に応じて、該行き先に対応する道路交通情報の先頭部分から出力する。
【００１８】
この例によれば、受信装置が搭載された車両の行き先に応じた道路交通情報を聴くことができる。
【００１９】
本受信方法は、
道路交通情報を受信する受信装置における受信方法であって、
受信した道路交通情報を含むコンテンツと、道路交通情報の先頭部分の音声とを比較し、該コンテンツに前記先頭部分の音声が含まれるかを判断する第１の音声比較ステップと、
前記第１の音声比較ステップにより、該コンテンツに前記先頭部分の音声が含まれると判断された場合に、該先頭部分の音声により開始される道路交通情報を記憶する第１の道路交通情報記憶ステップと
再生装置による再生要求に応じて、道路交通情報の先頭部分から出力する出力ステップと
を有する。
【００２０】
この例によれば、要求したタイミングで、道路交通情報を最初から聞くことができる。
【００２１】
また、他の例では、
前記道路交通情報記憶ステップにおいて記憶された道路交通情報と、道路交通情報に含まれる行き先部分の音声のうち、該受信装置が搭載された車両の行き先に対応する行き先部分の音声とを比較し、該道路交通情報に該行き先部分の音声が含まれるかを判断する第２の音声比較ステップと、
前記第２の音声比較ステップにより、該道路交通情報に前記行き先部分の音声が含まれると判断された場合に、行き先毎に、該行き先部分の音声により開始される道路交通情報を記憶する第２の道路交通情報記憶ステップと
を有し、
前記出力ステップでは、再生装置による再生要求に応じて、行き先に応じて、該行き先に対応する道路交通情報の先頭部分から出力する。
【００２２】
この例によれば、受信装置が搭載された車両の行き先に応じた道路交通情報を聴くことができる。
【発明の効果】
【００２３】
本発明の実施例によれば、要求したタイミングで、道路交通情報を最初から聞くことができる受信装置及び受信方法を実現できる。
【発明を実施するための最良の形態】
【００２４】
次に、本発明を実施するための最良の形態を、以下の実施例に基づき図面を参照しつつ説明する。
【００２５】
なお、実施例を説明するための全図において、同一機能を有するものは同一符号を用い、繰り返しの説明は省略する。
【００２６】
（第１の実施例）
本実施例に係る受信装置について、図１を参照して説明する。
【００２７】
本実施例に係る受信装置は、車両に搭載され、道路交通情報を受信する。道路交通情報は、例えば路側機により送信される。
【００２８】
本実施例に係る受信装置１００は、アンテナ１０２を有する。アンテナ１０２は、道路において放送されている電波を受信する。例えば、電波に載せられている放送には、道路交通情報が含まれる。
【００２９】
また、本実施例に係る受信装置１００は、チューナ１０４を有する。チューナ１０４は、放送されている電波を常時受信する。例えば、チューナ１０４は、道路交通情報が送信されている周波数を常時受信する。チューナ１０４は、受信したコンテンツを後述する解析部１０６に入力する。このコンテンツには、道路交通情報が含まれる。また、このコンテンツは音声信号であってもよい。
【００３０】
また、本実施例に係る受信装置１００は、解析部１０６を有する。解析部１０６は、チューナ１０４により入力されたコンテンツを解析する。具体的には、解析部１０６は、入力されたコンテンツを分析し、該コンテンツに道路交通情報が含まれるかを判断する。そして、該コンテンツに道路交通情報が含まれる場合には、該コンテンツを記録する。そして、後述する再生装置による再生要求に応じて、記録した道路交通情報を再生装置に入力する。
【００３１】
具体的に説明する。
【００３２】
解析部１０６は、第１の記憶部１０６１を有する。第１の記憶部１０６１には、チューナ１０４により入力されたコンテンツが記録される。第１の記憶部１０６１は作業領域である。
【００３３】
解析部１０６は、第２の記憶部１０６２を有する。第２の記憶部１０６２には、１回分を単位として、道路交通情報が記録される。第２の記憶部１０６２には、作業中のデータの保存のために一時的に作成されるテンポラリファイルが含まれる。例えば、第２の記録部１０６２には、後述する音声比較部１０６４において、第１の記録部１０６１に記録されたコンテンツに、後述する第３の記憶部１０６３に格納された放送の先頭の音声を示すパターンが含まれると判断された場合に、第１の記憶部１０６１に記録された放送の先頭の音声に続く放送コンテンツが記録される。例えば、先頭の音声は、道路交通情報の先頭の音声であるようにしてもよい。この場合、第１の記憶部１０６１に記録された道路交通情報の先頭の音声に続く道路交通情報が記録される。
【００３４】
解析部１０６は、第３の記憶部１０６３を有する。第３の記憶部１０６３には、放送の先頭の音声を示すパターンが格納される。上述したように、例えば、先頭の音声は、道路交通情報の先頭の音声であるようにしてもよい。
【００３５】
解析部１０６は、音声比較部１０６４を有する。音声比較部１０６４は、チューナ１０４により入力されたコンテンツと、第３の記憶部１０６３に格納された放送の先頭の音声を示すパターンとを比較する。例えば、音声比較部１０６４は、第１の記憶部１０６１に記憶されたコンテンツと、第３の記憶部１０６３に記憶された放送の先頭の音声を示すパターンとを比較し、一致する部分がある場合には、該第１の記憶部１０６１に記憶された道路交通情報を第２の記憶部１０６２に記憶するように制御する。そして、続いて、チューナ１０４により入力されるコンテンツが第２の記憶部１０６２に記憶される。
【００３６】
また、音声比較部１０６４は、第２の記憶部１０６２に記憶された道路交通情報と、第３の記憶部１０６３に格納された放送の先頭の音声を示すパターンとを比較する。音声比較部１０６４は、第２の記憶部１０６２に記憶された道路交通情報と、第３の記憶部１０６３に記憶された放送の先頭の音声を示すパターンとを比較し、一致する部分がある場合には、該第２の記憶部１０６２に記憶された道路交通情報を第４の記憶部１０６５に記憶するように制御する。例えば、音声比較部１０６４は、第２の記憶部１０６２に記録された道路交通情報が第４の記憶部１０６５に転送される場合に、該道路交通情報における先頭部分が分かるように記録する。このようにすることにより、再生要求装置２００からの再生要求に対して、道路交通情報を先頭から出力することができる。その結果、再生装置２００は、道路交通情報を先頭部分から再生できる。
【００３７】
また、音声比較部１０６４は、第２の記憶部１０６２に記憶された道路交通情報と、第３の記憶部１０６３に記憶された放送の先頭の音声を示すパターンとを比較し、再度、一致する部分がある場合には、該第２の記憶部１０６２に記憶された道路交通情報を第４の記憶部１０６５に記憶するように制御する。この場合、以前に記憶されていた道路交通情報に上書きするようにしてもよい。その結果、第４の記憶部１０６５に記憶される道路交通情報は、更新される。このようにすることにより、第４の記憶部１０６５には、最新の道路交通情報が格納される。このため、再生要求装置２００からの再生要求に対して、最新の道路交通情報を先頭から出力することができる。その結果、再生装置２００は、最新の道路交通情報を先頭部分から再生できる。
【００３８】
解析部１０６は、第４の記憶部１０６５を有する。第４の記憶部１０６５は、道路交通情報が格納される。
【００３９】
本実施例に係る受信装置１００の動作について、図２を参照して説明する。
【００４０】
受信装置１００は、放送を受信中であるかを判断する（ステップＳ２０２）。例えば、解析部１０６は、チューナ１０４によりコンテンツが入力されているかを判断することにより、放送を受信中であるかを判断する。
【００４１】
放送の受信中でない場合（ステップＳ２０２：ＮＯ）、解析部１０６は、道路交通情報を受信中であることを示すフラグをオフにする（ステップＳ２０４）。そして、ステップＳ２０２に戻る。一方、放送の受信中である場合（ステップＳ２０２：ＹＥＳ）、解析部１０６は、該放送コンテンツを作業領域としての第１の記憶部１０６１に記録する（ステップＳ２０６）。
【００４２】
受信装置１００は、第１の記憶部１０６１に記録されたコンテンツと、放送の先頭のパターンとが一致するかを判定する（ステップＳ２０８）。例えば、音声比較部１０６４は、第１の記憶部１０６１に記録されたコンテンツと、第３の記憶部１０６３に格納された先頭の音声パターンとを比較することにより、第１の記憶部１０６２に記録された放送内容に、先頭音声パターンが含まれるかを判断する。
【００４３】
作業領域に記録された内容と、先頭の音声パターンとが一致しない場合（ステップＳ２０８：ＮＯ）、解析部１０６は、道路交通情報を受信中であることを示すフラグがオンであるかを判定する（ステップＳ２１０）。
【００４４】
道路交通情報を受信中であることを示すフラグがオンでない場合（ステップＳ２１０：ＮＯ）、終了する。そして、ステップＳ２０２から開始する。一方、道路交通情報を受信中であることを示すフラグがオンである場合（ステップＳ２１０：ＹＥＳ）、道路交通情報として記録する。例えば、第１の記憶部１０６２に記録されたコンテンツをテンポラリとしての第２の記憶部１０６２に転送するとともに、チューナ１０４により引き続き入力されるコンテンツを第２の記憶部１０６２に記録し（ステップＳ２１２）、終了する。そして、ステップＳ２０２から開始する。
【００４５】
ステップＳ２０８において、作業領域に記録されたコンテンツと、先頭のパターンとが一致する場合（ステップＳ２０８：ＹＥＳ）、解析部１０６は、道路交通情報を受信中であることを示すフラグがオンであるかを判定する（ステップＳ２１４）。
【００４６】
道路交通情報を受信中であることを示すフラグがオンである場合（ステップＳ２１４：ＹＥＳ）、道路交通情報として記録する（ステップＳ２１６）。例えば、第１の記憶部１０６１に記録された道路交通情報を第２の記憶部１０６２に転送するとともに、チューナ１０４により引き続き入力されるコンテンツを第２の記憶部１０６２に記録する（ステップＳ２１６）。一方、道路交通情報を受信中であることを示すフラグがオンでない場合（ステップＳ２１４：ＮＯ）、道路交通情報を受信中であることを示すフラグをオンにする（ステップＳ２１８）。
【００４７】
ステップＳ２１６及びステップＳ２１８の処理の後、解析部１０６は、作業領域をクリアする（ステップＳ２２０）。例えば、第１の記憶部１０６１に記録されているコンテンツを消去する。そして、ステップＳ２０２に戻る。
【００４８】
本実施例に係る受信装置１００では、放送されるコンテンツが常時記録される。そして、記録されたコンテンツから道路交通情報が認識される。認識される道路交通情報には、図３に示すように、先頭の音声と本文を示す音声とが含まれる。音声比較部１０６４は、道路交通情報に含まれる先頭の音声を認識し、その先頭（開始位置）と終了（終了位置）とを認識できるように、第４の記憶部１０６５に記憶する。第４の記憶部１０６５に記憶される道路交通情報は、道路交通情報が認識される毎に、上書き保存されるようにしてもよい。このようにすることにより、第４の記憶部１０６５に格納される道路交通情報は、常に最新の情報に更新される。
【００４９】
再生装置２００は、ドライバからの再生要求に基づいて、第４の記憶部１０６５に格納された道路交通情報のうち、最新の道路交通情報を出力する。そして、再生装置２００は、受信装置１００から出力された最新の道路交通情報を再生する。また、例えば、現在、道路交通情報の受信中である場合、該受信している放送の最初の部分より、再生を行うようにしてもよい。また、現在、道路交通情報を受信していない場合、最後に受信した道路交通情報の内容を再生するようにしてもよい。
【００５０】
（第２の実施例）
本実施例に係る受信装置について、図４を参照して説明する。
【００５１】
本実施例に係る受信装置は、上述した受信装置において、行き先に応じて道路交通情報を再生できるようにしたものである。
【００５２】
本実施例に係る受信装置１００は、上述した実施例に係る受信装置において、音声比較部１０６６を有する。音声比較部１０６６は、第４の記憶部１０６５から道路交通情報を取得する。また、音声比較部１０６６には、ナビゲーション装置３００から、現在位置の情報及び進行方向を示す情報が入力される。また、音声比較部１０６６には、後述するデータベース(DB:  Data  Base)１０６７から、行き先の音声パターンが入力される。音声比較部１０６６は、入力された情報に基づいて、取得した道路交通情報を行き先別に分離する。そして、音声比較部１０６６は、分離した道路交通情報を、後述する第５の記憶部１０６８に行き先別に記録する。また、音声比較部１０６６は、当該受信装置１００が搭載された車両の行き先の方向に対応する道路交通情報を、再生装置２００に入力する。
【００５３】
また、本実施例に係る受信装置１００は、上述した実施例に係る受信装置において、第５の記憶部１０６８を有する。第５の記憶部１０６８は、道路交通情報を行き先方向別に記録する。また、第５の記憶部１０６８は、再生装置２００からの再生要求に応じて、該車両の進行方向である行き先方向の道路交通情報を再生装置２００に入力する。
【００５４】
また、本実施例に係る受信装置１００は、上述した実施例に係る受信装置において、データベース１０６７を有する。データベース１０６７は、行き先別の音声パターンが格納される。例えば、現在位置と、その現在位置において行くことのできる行き先別の先頭の音声パターンが格納されるようにしてもよい。
【００５５】
本実施例に係る受信装置１００の動作について、図５を参照して説明する。
【００５６】
１回の放送情報が取得される（ステップＳ５０２）。例えば、図２を参照して説明したステップＳ２０１−ステップＳ２２０と同様の処理が行われる。その結果、第４の記憶部１０６５には、１回以上の道路交通情報が記憶される。
【００５７】
受信装置１００は、放送の受信が完了したかを判断する（ステップＳ５０４）。例えば、音声比較部１０６４は、第４の記憶部１０６５への道路交通情報の記憶中である場合に、第２の記憶部１０６２に記憶されたコンテンツと、第３の記憶部１０６３に格納された放送の先頭の音声パターンとを比較し、一致する場合に、該第４の記憶部１０６５へ記憶中である道路交通情報の受信が完了したと判断するようにしてもよい。
【００５８】
放送の受信が完了したと判断されない場合（ステップＳ５０４：ＮＯ）、ステップＳ５０２に戻る。そして、１回の放送情報の取得が継続して行われる。一方、放送の受信が完了したと判断された場合（ステップＳ５０４：ＹＥＳ）、受信装置１００は、ナビゲーション装置３００により、現在位置の情報と、進行方向の情報を取得する（ステップＳ５０６）。例えば、音声比較部１０６６は、ナビゲーション装置３００から、現在位置の情報と、進行方向の情報とを取得する。ここで、進行方向の情報としては、該進行方向に位置する地域の名称であってもよい。また、上り、下りを示す情報であってもよい。また、進行方向の情報としては、目的地（行き先）であってもよい。
【００５９】
受信装置１００は、現在位置に対応する比較パターンを取得する（ステップＳ５０８）。例えば、音声比較部１０６６は、データベース１０６７に格納された行き先の音声パターンのうち、現在位置からの行き先に該当する音声パターンを取得する。
【００６０】
受信装置１００は、第４の記憶部１０６５に記憶された道路交通情報と、データベース１０６７により取得した行き先の音声パターンとを比較する（ステップＳ５１０）。例えば、音声比較部１０６６は、道路交通情報に、行き先に該当する先頭の音声パターンが含まれるかを判断する。
【００６１】
受信装置１００は、行き先別に道路交通情報を分離して、該行き先別に道路交通情報を記憶する（ステップＳ５１２）。例えば、音声比較部１０６６は、その行き先別の音声パターンが、道路交通情報に含まれる場合、行き先別に、該行き先の案内と本文に対応する音声とを第５の記憶部１０６８に記憶する。
【００６２】
本実施例に係る受信装置１００では、放送されるコンテンツが常時記録される。そして、記録されたコンテンツから道路交通情報が認識される。認識される道路交通情報には、先頭の音声と本文を示す音声とが含まれる。さらに、本文を示す音声には、図６に示すように、行き先の案内と、その行き先に対応する本文が含まれる。複数の行き先の案内と、それら複数の行き先に対応する本文が含まれるようにしてもよい。音声比較部１０６６は、道路交通情報に含まれる行先の案内の音声を認識し、その行き先に応じて、該行き先の案内に後続する行き先に対応する本文とともに、行き先別の道路交通情報として、第５の記憶部１０６８に記憶する。この場合、音声比較部１０６６は、行き先別の道路交通情報におけるその先頭（開始位置）と終了（終了位置）とを認識できるように、第５の記憶部１０６８に記憶する。第５の記憶部１０６８に記憶される行き先別の道路交通情報は、行き先別の道路交通情報が認識される毎に、上書き保存されるようにしてもよい。
【００６３】
再生装置２００は、ドライバからの再生要求に基づいて、第５の記憶部１０６８に格納された行き先別の道路交通情報のうち、その進行方向に対応する最新の行き先別の道路交通情報を再生する。また、再生装置２００は、ドライバからの再生要求に基づいて、第５の記憶部１０６８に格納された行き先別の道路交通情報のうち、その行き先に対応する最新の行き先別の道路交通情報を再生するようにしてもよい。例えば、現在、道路交通情報の受信中である場合、該受信している放送の最初の部分より、再生を行う。また、現在、道路交通情報を受信していない場合、最後に受信した道路交通情報の内容を再生するようにしてもよい。
【００６４】
本実施例によれば、道路交通情報が放送される周波数を常時受信する。そして、その放送内容を解析する。解析の結果、放送を受信していると判定された場合、該放送の開始から終了までを記録する。さらに、道路交通情報に含まれる行先の案内の音声を認識し、その行き先に応じて、該行き先の案内に後続する行き先に対応する本文とともに、行き先別の道路交通情報として記憶する。このようにして放送内容を記録することにより、ドライバが要求したタイミングで、その行き先に対応する内容を再生できる。また、ドライバは、放送される地点と次に放送される地点との間を走行している場合でも、最新の道路交通情報を聞くことができる。また、道路交通情報の先頭から聞くことができる。さらに、該受信装置１００が搭載された車両の行き先に応じた道路交通情報を聴くことができる。このため、ドライバに必要な情報のみを提供することができる。
【００６５】
説明の便宜上、発明の理解を促すため具体的な数値例を用いて説明されるが、特に断りのない限り、それらの数値は単なる一例に過ぎず適切な如何なる値が使用されてよい。
【００６６】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００６７】
【図１】一実施例に係る受信装置を示す部分ブロック図である。
【図２】一実施例に係る受信装置の動作を示すフロー図である。
【図３】一実施例に係る受信装置の動作を示す説明図である。
【図４】一実施例に係る受信装置を示す部分ブロック図である。
【図５】一実施例に係る受信装置の動作を示すフロー図である。
【図６】一実施例に係る受信装置の動作を示す説明図である。
【符号の説明】
【００６８】
１００  受信装置
１０２  アンテナ
１０４  チューナ
１０６  解析部
１０６１  第１の記憶部
１０６２  第２の記憶部
１０６３  第３の記憶部
１０６４  音声比較部
１０６５  第４の記憶部
１０６６  音声比較部
１０６７  データベース(DB:  Data  Base)
１０６８  第５の記憶部
２００  再生装置
３００  ナビゲーション装置
【図１】
2009253351.tif 000003
【図２】
2009253351.tif 000004
【図３】
2009253351.tif 000005
【図４】
2009253351.tif 000006
【図５】
2009253351.tif 000007
【図６】
2009253351.tif 000008